(57)【要約】【課題】  印刷者の印刷物の取り忘れ、他人の印刷物の持ち去りを防ぐ【解決手段】  出力要求時に個人情報と印字データを送り、プリンタ側で印刷物に個人情報を関連付けるマークを付け、出力物を取り人の個人情報を得て出力物につけられたマークで誰の印刷物かを判断して他人の印刷物の持ち去れ、取り忘れを防止する。【選択図】  図２
2008262407.tif 000002
【特許請求の範囲】
【請求項１】
印刷要求機器から個人情報を得る第1の個人情報取得手段と、前期個人情報取得装置から取得した個人情報と印刷データを送信する送信手段と、送信手段の受信データから個人情報と印刷データに分離する分離手段と、分離手段で得た個人情報を記録する記憶手段、印刷時に個人情報と特定コードの関連付けを記録する記録手段、印刷データを印刷する印刷手段、印字データ印刷時に特定コードを付加する特定コード付加手段、印刷物に付加された特定コードを認識する認識手段と、印刷手段の印刷出力部範囲から個人情報を得る第2の個人情報取得手段と、分離手段で得た個人情報を記録する記憶手段に記憶された個人情報と取り出し時に印刷用要求機器から得た個人情報を比較する比較手段、印刷物持ち去り時に比較手段から個人情報が一致した際、出力物に付加された特定コードを判別する判断手段と、一致した個人情報と関連付けられた特定コードが付加された出力物を持ち去られた場合に注意を促す注意手段を備えることを特徴とする印刷装置。
【請求項２】
特定コードは印刷物が重なっても読み込める位置に付加することを特徴とする請求項1記載の印刷装置。
【請求項３】
個人情報として顔情報、声を使用することを特徴とする請求項1記載の印刷装置。
【請求項４】
個人情報と特定コードを関連付けて記録することを特徴とする請求項1記載の印字装置。
【請求項５】
印字出力終了後に個人情報として顔画像を使用した場合は印字装置操作部に表示部に顔画像のサムネール表示を行い、印字物が持ち去られた人のサムネール表示から消去することを特徴とする請求項３記載の印刷装置。
【請求項６】
印刷物を持ち去られた印刷物の順序を記憶し、誰がこの書類を読める可能性があるかの履歴を記録しておくことを特徴とする請求項1記載の印刷装置。
【請求項７】
送信データ中に個人を特定できる情報が付加されていた場合には操作表示部に出力した順序に表示を行うことを特徴とした請求項1記載の印刷装置。
【請求項８】
送信データ中に個人を特定できる情報が付加されていた場合には操作表示部に出力した順序に出力枚数と共に表示することを特徴とした請求項1記載の印刷装置。
【請求項９】
第1の個人情報取得装置、第2の個人取得装置は個人を特定しやすい位置に設置することを特徴とする請求項１記載の印字装置。
【発明の詳細な説明】
【技術分野】
【０００１】
本発明は印刷装置を共有で使用する印刷装置に関する。
【背景技術】
【０００２】
従来、ネットワークに接続された共有プリンタを用いて印刷処理を行った場合に印刷物のどこまでが当ユーザのものか判断がつかず誤って他人に持ち去られたり、他人に印刷内容を読まれてしまう可能性があった。
【０００３】
そのため印刷依頼者情報を印刷装置に送り印刷装置で印刷依頼者を判断して印刷依頼者と同一かの判断を行い、印字開始をするような印刷装置が考えられている（例えば［特許文献１］、［特許文献２］）が印刷時間が長時間に及ぶ場合は印刷装置から離れてしまうことも考えられ前記と同様な問題を抱えてしまう場合も考えられる。
【特許文献１】特開２００４−２５２５０１号公報
【特許文献２】特開２００６−９９７２４号公報
【発明の開示】
【発明が解決しようとする課題】
【０００４】
そこで本発明は印字要求者の出力物以外を持ち出しすぎ、あるいは取り残しの防止を目的としている。
【課題を解決するための手段】
【０００５】
本発明は印刷要求者を特定する付加情報を出力用紙に加えることで、印刷用紙持ち出し時に印字要求者を認識し、出力用紙の付加情報をもとに印字要求者の出力物を特定して印字要求者以外の出力物を持ち出しすぎ、あるいは取り残しを防止する。
【発明の効果】
【０００６】
本発明は印刷要求者を特定する付加情報を出力用紙に加えることで、印刷用紙持ち出し時に印字要求者を認識し、出力用紙の付加情報をもとに印字要求者の出力物を特定して印字要求者以外の出力物を持ち出しすぎ、あるいは取り残しを防止する効果がある。
【発明を実施するための最良の形態】
【０００７】
（実施形態１）
実施例を図1,図２を参照して説明をおこなう。
【０００８】
図１の１はパソコン、図1の２はプリンタ、図1の３はデータ通信を行う通信路，図２は実施例サンプルである。
【０００９】
パソコン（１）で印字データ（１００）が発生し印字要求を行う際にパソコン（１）の認証用カメラ（１０１）により印刷要求者を撮影して個人認証情報取得部（１０３）で個人認証情報を得て印字データと個人認証情報を“印字データ＋個人情報合成部”（１０２）で合成して、通信部（１０４）から３の通信路を経て、２のプリンタ部に送る。
【００１０】
通信部（２００）により印字データと個人認証情報を合成されたものを受け取り“印字データ＋認証情報分離部”で認証情報は認識コード発生部（２０２）へ送られユニークな認識コードを発生して認証情報と認識コードを関連付けされ記憶部（２０３）に記憶される。また、決定された認識コードは認識コード印字データ生成部（２０４）に送られ認識コード印字データと“印字データ＋認証情報分離部”からの印字データと共に印字部（２０５）へ送られ印刷される。図２は印字データと認識コード印字データ（４００）が印刷された印刷物（４）のサンプルである。認識コード印字は紙の側面に２種類の認識コード（４０１）（４０２）が印刷されているのが確認できる。
【００１１】
認識コード印字データが印刷された面は印刷物監視カメラ（２０７）で常に撮影され認識コード識別部（２０８）で現在印刷された用紙の識別コードが認識されている。プリンタ（２）の出力トレーの印刷物を取りに行くと、認証用カメラ（２０９）に人物が撮影され個人認証情報取得部（２１０）から個人認証情報を得て、その情報をもとに認識コード比較部（２１１）は記録装置（２０３）から個人認証情報と一致するものを検索して対応する認識コードを取得する。認識コード認識部（２０８）からの認識コードと比較して個人認証と対応する認識コード印刷用紙が持ち出されることを確認する。持ち出す出力用紙に別の認識コードが入っている場合は認識コード識別は警告部（２０６）に警告を発するよう指令をする。排紙口にまだ前記認識コード印刷用紙が残っている場合も同様に警告を発する。警告はブザー、ＰＣ画面にメッセージを表示させる等が考えられる。以上説明したように印刷要求者が別人の印刷物を持ち出すのを防ぐ効果がある。
【００１２】
（実施形態２）
実施形態１では印刷監視カメラが認識コードを認識していたがＣＣＤセンサーを利用することも可能である。
【図面の簡単な説明】
【００１３】
【図１】この発明の一実施形態を示す文書処理システムの構成を示すブロック図である。
【図２】一実施形態で出力用紙に印刷データと認識コードが印刷された印字サンプルである。
【符号の説明】
【００１４】
１  パソコン
１００  印刷データ
１０１  認証用カメラ（印刷要求時に撮影）
１０２  印刷データと個人認証情報合成部
１０３  個人認証情報取得部
１０４  通信部（外部と接続）
２  プリンタ
２００  通信部（外部と接続）
２０１  印字データと個人認証情報分離部
２０２  認識コード発生部
２０３  記憶部
２０４  認識コード印刷データ生成部
２０５  印刷部
２０６  警告部
２０７  印刷物監視カメラ
２０８  認識コード識別部
２０９  認証用カメラ（出力物取り出し人物を撮影）
２１０  個人認証情報取得部
２１１  認識コード比較部
【図１】
2008262407.tif 000003
【図２】
2008262407.tif 000004